(57)【特許請求の範囲】
【請求項１】
内面に熱接着性樹脂を配した積層体により形成して粉粒状または液状の内容物を封入する袋本体と、前記袋本体内に配した開封部材とを備えた包装袋において、前記袋本体が、前記熱接着性樹脂により外周部を熱接着するシール部と、内容物及び前記開封部材を収納して前記シール部により封止されるとともに上端部の横幅を下部に対して狭める段差部を上部周縁に設けた収納部と、前記段差部の側方の前記シール部上に開口して手指が挿通される挿通孔とを有し、前記開封部材が前記収納部の下部から上部に延びて配されるとともに、上端を尖鋭に形成した尖鋭部と、長手方向に沿って形成される内容物の通路とを有することを特徴とする包装袋。
【請求項２】
前記収納部の内容物が液状であり、前記開封部材が内部に前記通路を形成する筒状部材から成ることを特徴とする請求項１に記載の包装袋。
【請求項３】
前記収納部の内容物が粉粒状であり、前記開封部材が外周面に前記通路を設けた棒状部材から成ることを特徴とする請求項１に記載の包装袋。
【請求項４】
前記収納部の片方の側縁に前記段差部を設け、前記段差部に対向する側縁が前記積層体の折曲により一直線状に形成されることを特徴とする請求項１〜請求項３のいずれかに記載の包装袋。
【請求項５】
前記段差部の下端部のコーナーが上下方向に対して傾斜することを特徴とする請求項１〜請求項４のいずれかに記載の包装袋。
【請求項６】
前記収納部の一方の側縁の下端に前記開封部材の下端が近接した状態で前記開封部材を傾倒させた際に、前記収納部の他方の側縁に設けた前記段差部に前記開封部材の上端が近接して前記開封部材の傾倒が規制されることを特徴とする請求項１〜請求項５のいずれかに記載の包装袋。
【請求項７】
前記段差部により傾倒を規制された前記開封部材の上端が近接した位置の前記段差部の接線と前記開封部材との成す角度が４０゜以下であることを特徴とする請求項６に記載の包装袋。
【請求項８】
前記収納部の下端から上端までの高さを７０ｍｍ〜１３０ｍｍにしたことを特徴とする請求項１〜請求項７のいずれかに記載の包装袋。
【発明の詳細な説明】
【技術分野】
【０００１】
本発明は液状や粉粒状の内容物を封入する包装袋及びそれに用いられる包装体に関する。
【背景技術】
【０００２】
飲料等の内容物を封入した包装袋は特許文献１に開示される。この包装袋はフィルムにより形成される袋本体と、内パイプと外パイプとを有した二重構造のストローとを備えている。袋本体は異なるフィルムから成る本体部とカバー部とを有し、本体部内に内容物が注入される。
【０００３】
カバー部は下端を二つ折りにしてストローを包み、ストローとともに本体部の上端に挟まれた状態で本体部の上端及びカバー部の周囲が熱接着される。これにより、ストローの外パイプが本体部に固着され、ストローがカバー部内の密封空間内に配される。また、カバー部には本体部の上端に沿って切目線が設けられる。
【０００４】
上記構成の包装袋を開封する際に、一方の手で本体部を摘み、他方の手でカバー部を摘んで切目線に沿って切断する。次に、ストローの内パイプを押し下げると、カバー部の下端が破れて内パイプが本体部内に進入する。これにより、本体部内の内容物がストローを介して取り出される。
【先行技術文献】
【特許文献】
【０００５】
【特許文献１】特開２００７−１１８９６８号公報（第３頁〜第４頁、第１図）
【発明の概要】
【発明が解決しようとする課題】
【０００６】
しかしながら、上記従来の包装袋によると、開封時に両手を必要とするため片手が塞がっている場合に開封することができず、利便性が悪い問題があった。
【０００７】
本発明は、片手で開封して利便性を向上できる包装袋及びそれに用いられる包装体を提供することを目的とする。
【課題を解決するための手段】
【０００８】
上記目的を達成するために本発明は、内面に熱接着性樹脂を配した積層体により形成して粉粒状または液状の内容物を封入する袋本体と、前記袋本体内に配した開封部材とを備えた包装袋において、前記袋本体が、前記熱接着性樹脂により外周部を熱接着するシール部と、内容物及び前記開封部材を収納して前記シール部により封止されるとともに上端部の横幅を下部に対して狭める段差部を上部周縁に設けた収納部と、前記段差部の側方の前記シール部上に開口して手指が挿通される挿通孔とを有し、前記開封部材が前記収納部の下部から上部に延びて配されるとともに、上端を尖鋭に形成した尖鋭部と、長手方向に沿って形成される内容物の通路とを有することを特徴としている。
【０００９】
この構成によると、袋本体の収納部に内容物及び上下方向に延びる開封部材が収納される。包装袋を開封する際には人差し指や親指を挿通孔に挿入して包装袋を把持し、包装袋の下端を身体の一部や机上等に押圧させる。これにより、段差部によって横幅の狭い収納部の上端を開封部材の尖鋭部が突き破り、開封部材に設けた通路を介して内容物が取り出される。
【００１０】
また本発明は上記構成の包装袋において、前記収納部の内容物が液状であり、前記開封部材が内部に前記通路を形成する筒状部材から成ることを特徴としている。この構成によると、収納部の上端を突き破った筒状部材から成る開封部材の上端から吸引して液状の内容物が取り出される。
【００１１】
また本発明は上記構成の包装袋において、前記収納部の内容物が粉粒状であり、前記開封部材が外周面に前記通路を設けた棒状部材から成ることを特徴としている。この構成によると、棒状部材から成る開封部材が収納部の上端を突き破り、包装袋の上下を逆にすると粉粒状の内容物が開封部材の外周面に設けた通路を通って取り出される。
【００１２】
また本発明は上記構成の包装袋において、前記収納部の片方の側縁に前記段差部を設け、前記段差部に対向する側縁が前記積層体の折曲により一直線状に形成されることを特徴としている。この構成によると、袋本体の下端から開封部材を挿入する際に、積層体を折曲した側端部が内側に曲率中心を有するように湾曲する。開封部材は湾曲した該側端部に沿って収納部の上端部に案内される。
【００１３】
また本発明は上記構成の包装袋において、前記段差部の下端部のコーナーが上下方向に対して傾斜することを特徴としている。この構成によると、袋本体の下端から挿入される開封部材が傾斜した段差部に沿って収納部の上端部に案内される。
【００１４】
また本発明は上記構成の包装袋において、前記収納部の一方の側縁の下端に前記開封部材の下端が近接した状態で前記開封部材を傾倒させた際に、前記収納部の他方の側縁に設けた前記段差部に前記開封部材の上端が近接して前記開封部材の傾倒が規制されることを特徴としている。この構成によると、開封部材の上端が段差部の下方に脱落することを防止できる。
【００１５】
また本発明は上記構成の包装袋において、前記段差部により傾倒を規制された前記開封部材の上端が近接した位置の前記段差部の接線と前記開封部材との成す角度が４０゜以下であることを特徴としている。この構成によると、収納部内で傾倒する開封部材の上端部分が段差部と摺動し、尖鋭部により収納部を突き破ることを防止できる。
【００１６】
また本発明は上記構成の包装袋において、前記収納部の下端からの上端までの高さを７０ｍｍ〜１３０ｍｍにしたことを特徴としている。
【００１７】
また本発明は、内面に熱接着性樹脂を配した積層体により形成される包装体において、前記熱接着性樹脂により外周部を熱接着するシール部と、上端部の横幅を下部に対して狭める段差部を上部周縁に設けるとともに下端を開放した収納部と、前記段差部の側方の前記シール部上に開口して手指が挿通される挿通孔とを備えたことを特徴としている。
【発明の効果】
【００１８】
本発明によると、収納部の上部周縁に設けた段差部の側方に挿通孔を設け、上端に尖鋭部を有する開封部材が収納部の下部から上部に延びて配される。これにより、挿通孔に手指を挿通して袋本体を把持し、袋本体の下端を押圧して片手で容易に包装袋を開封することができる。この時、挿通孔に挿通した手指が収納部の上方に配置されず、手に対する尖鋭部による突き刺しを防止できる。従って、包装袋の利便性を向上することができる。
【図面の簡単な説明】
【００１９】
【図１】本発明の第１実施形態の包装袋を示す正面図
【図２】本発明の第１実施形態の包装袋の積層体を示す断面図
【図３】本発明の第１実施形態の包装袋の開封部材挿入時の状態を示す斜視図
【図４】本発明の第１実施形態の包装袋の開封部材の姿勢を説明する正面図
【図５】本発明の第１実施形態の包装袋の開封動作を説明する斜視図
【図６】本発明の第１実施形態の包装袋の開封動作を説明する斜視図
【図７】本発明の第１実施形態の包装袋の開封動作を説明する斜視図
【図８】本発明の第１実施形態の包装袋の開封された状態を示す正面図
【図９】本発明の第２実施形態の包装袋を示す正面図
【図１０】本発明の第２実施形態の包装袋の開封部材を示す正面図
【図１１】本発明の第２実施形態の包装袋の開封部材を示す上面図
【図１２】本発明の第２実施形態の包装袋の開封された状態を示す正面図
【図１３】本発明の第３実施形態の包装袋を示す正面図
【図１４】本発明の第４実施形態の包装袋を示す正面図
【図１５】本発明の第５実施形態の包装袋を示す正面図
【発明を実施するための形態】
【００２０】
＜第１実施形態＞
以下に図面を参照して本発明の実施形態を説明する。図１は第１実施形態の包装袋の正面図を示している。包装袋１は積層体２（図２参照）により形成された袋本体１０と、袋本体１０内に配される開封部材２０とを備えている。袋本体１０には液体飲料やゼリー飲料等の液状の内容物Ｗが封入される。
【００２１】
袋本体１０は所謂三方シール袋から成り、一辺１０ａで積層体２（図２参照）を折曲して三辺の外周部に熱接着性樹脂を熱接着したシール部１３を形成する。袋本体１０には内容物Ｗを収納してシール部１３により封止される収納部１１が設けられる。収納部１１の外周縁はシール部１３により形成される。
【００２２】
収納部１１の上部周縁には下部の横幅Ｄ１よりも上端部の横幅Ｄ２を狭くする段差部１１ａが設けられる。段差部１１ａによって収納部１１の上端部に横幅Ｄ２の狭い狭幅部１２が形成される。
【００２３】
段差部１１ａは収納部１１の上端から上下方向に延びる縦延部１１ｃと、縦延部１１ｃの下端に連続して上下方向に対して傾斜する傾斜部１１ｂとを有している。本実施形態では段差部１１ａの下端部のコーナーに形成される傾斜部１１ｂを曲線状に形成しているが、直線状に形成してもよい。収納部１１には片方の側縁のみに段差部１１ａが設けられ、段差部１１ａに対向する側縁は積層体２（図２参照）を折曲した辺１０ａにより一直線状に形成される。
【００２４】
また、段差部１１ａの側方のシール部１３上には挿通孔１４が開口する。挿通孔１４は後述するように使用者の手指が挿通されるため、直径が約２５ｍｍ〜３０ｍｍの円形や、短径が約２５ｍｍ〜３０ｍｍの楕円形等に形成される。また、包装袋１は使用者に把持され、後述するように収納部１１の下端が押圧される。このため、収納部１１の下端から上端までの高さＨが内容物Ｗに応じて約７０ｍｍ〜１３０ｍｍに形成される。例えば、内容物Ｗが子供向けの場合には、高さＨを例えば約７０ｍｍ〜１１０ｍｍに形成するとよい。また、内容物Ｗが大人向けの場合には、高さＨを例えば約９０ｍｍ〜１３０ｍｍに形成するとよい。
【００２５】
開封部材２０はストロー等の筒状部材により形成され、収納部１１の下部から上部に延びて配される。開封部材２０の内部には上下端を連通させる通路２２（図３参照）が形成される。開封部材２０の上端には斜めに切断して尖鋭形状に形成された尖鋭部２１が設けられる。尖鋭部２１の先端は怪我防止のために微小な曲率半径の曲線状に形成される。
【００２６】
図２は袋本体１０を形成する積層体２の断面図を示している。積層体２は外層３の内面側に熱接着性樹脂により形成された内層４を積層して形成される。外層３は袋本体１０を構成する基本素材となることから、機械的、物理的、化学的等において優れた性質を有する合成樹脂製フィルムを用いることができる。例えば、ポリエステル系、ポリアミド系、ポリプロピレン系等の樹脂フィルムを外層３に用いることができる。
【００２７】
樹脂フィルムとしては後述する印刷層の印刷適性が良好な２軸方向に延伸した延伸フィルムが好適である。また、外層３を構成するフィルムの厚さはコスト等を勘案して決定すればよいが、１２μｍ〜２５μｍ程度が適当である。
【００２８】
外層３の具体例としては、２軸延伸ナイロンフィルム、２軸延伸ポリプロピレンフィルム（ＯＰＰ）、２軸延伸ポリエステル系樹脂フィルム等の単体ないしそれらの積層体が用いられ、２軸延伸ポリエステル系樹脂フィルムが特に好適に用いられる。２軸延伸ポリエステル系樹脂フィルムの具体的な材質としては、例えばポリエチレンテレフタレート樹脂（ＰＥＴ）、ポリブチレンテレフタレート樹脂、ポリエチレン−２，６−ナフタレート樹脂、ポリブチレン−２，６−ナフタレート樹脂、ポリシクロヘキサンジメチレンテレフタレート樹脂等を使用することができる。
【００２９】
外層３には、文字、図形、記号、模様等の所望の印刷模様を付加する印刷層を形成してもよい。印刷層の形成方法として、通常のインキビヒクルの１種ないし２種以上を主成分として添加剤や着色剤を必要に応じて添加し、溶媒や希釈剤等で混練してインキ組成物を調整する。そして、インキ組成物を用いてグラビア印刷、オフセット印刷、凸版印刷、スクリーン印刷、転写印刷、フレキソ印刷等の印刷方式により外層３に所望の印刷模様を印刷して印刷層を形成する。添加剤として可塑剤、安定剤、酸化防止剤、光安定剤、紫外線吸収剤、硬化剤、架橋剤、滑剤、帯電防止剤、充填剤等の１種または２種以上が任意に選択される。また、着色剤として任意の染料や顔料が選択される。
【００３０】
内層４は熱接着性樹脂から成り、加熱により溶融して積層体２を相互に融着する。内層４に用いられる熱接着性樹脂として、低密度ポリエチレン（ＬＤＰＥ）、中密度ポリエチレン、高密度ポリエチレン、直鎖状（線状）低密度ポリエチレン（ＬＬＤＰＥ）、ポリプロピレン（ＣＰＰ）、蒸着層（シリカ、アルミナ、アルミニウム等）を設けたポリプロピレン（ＶＭＣＰＰ）、エチレン−αオレフィン共重合体、エチレン−プロピレン共重合体、エチレン−酢酸ビニル共重合体、アイオノマー樹脂、エチレン−アクリル酸共重合体、エチレンとアクリル酸エステルとのエステルコポリマー、エチレン−メタクリル酸共重合体、エチレン−プロピレン共重合体、メチルペンテンポリマー、ポリオレフィン系樹脂（ポリエチレン、ポリプロピレン等）を不飽和カルボン酸（アクリル酸、メタクリル酸、無水マレイン酸、フマール酸等）で変性した酸変性ポリオレフィン系樹脂等から選ばれた１種ないし２種以上を使用することができる。好ましいものとしては、未延伸ポリプロピレンを挙げることができる。
【００３１】
内層４の形成方法としては、上記の熱接着性樹脂を溶融押出し法により積層する方法や、熱可塑性の単層ないし多層フィルムを積層する方法が用いられる。内層４の層厚としては、要求される物性（ヒートシール性）とコスト等を考慮して適宜決定すればよく、１５μｍ〜１００μｍ程度、特に２５μｍ〜５０μｍ程度であることが好ましい。
【００３２】
尚、封入される内容物Ｗが水分や酸素により変質し易い場合に、水蒸気バリア性やガスバリア性を付与するバリア層を外層３と内層４の間に積層してもよい。バリア層として、二軸延伸ポリエチレンテレフタレート（ＰＥＴ）、二軸延伸ポリプロピレン（ＯＰＰ）、エチレン・酢酸ビニル共重合体ケン化物（ＥＶＯＨ）、ポリ塩化ビニリデン（ＰＶＤＣ）、ポリアクリロニトリル（ＰＡＮ）等のフィルムを用いることができる。
【００３３】
また、バリア層として、アルミニウム箔（ＡＬ）、蒸着層を設けた二軸延伸ナイロンフィルム（ＯＮＹ）、ＰＶＤＣの塗膜層を設けた二軸延伸ナイロンフィルム（ＯＮＹ）、蒸着層を設けたポリプロピレンフィルム（ＶＭＣＰＰ）、蒸着層を設けたポリエチレンテレフタレートフィルム（ＶＭＰＥＴ）等を使用することができる。蒸着層として、シリカ、アルミナ、アルミニウム等を用いることができる。
【００３４】
アルミニウム箔またはアルミニウムの蒸着層を設けたフィルムは不透明であるため遮光層を兼ねることもできる。バリア層に用いるアルミニウム箔としては、焼鈍処理されたアルミニウム箔が適当であり、その厚みとしては６μｍ〜１５μｍ程度が適当である。
【００３５】
また、外層３と内層４の間に中間層を積層し、機械的強靭性、耐屈曲性、耐突き刺し性（耐ピンホール性）、耐衝撃性、耐寒性、耐熱性、耐薬品性等の物性を袋本体１０に付与してもよい。中間層として、例えばポリオレフィン（ポリエステル、ポリアミド、ポリエチレン、ポリプロピレン、エチレン−プロピレン共重合体等）の延伸フィルムを用いることができる。或いは、外層３と内層４の間にバリア層を積層する場合は外層３とバリア層の間に中間層を積層してもよく、バリア層と内層４の間に中間層を積層してもよい。
【００３６】
積層体２の製造方法としては、通常の包装材料を製造するときに使用する積層法、例えば、ドライラミネーション法、ウエットラミネーション法、無溶剤ラミネーション法、押出ラミネーション法、その他の方法を用いることができる。また、必要に応じて上記各層の積層を行う際に、被積層基材の表面に、例えばコロナ放電処理、オゾン処理、フレーム処理、ブラスト処理等の前処理を任意に施すことができる。
【００３７】
図３は包装袋１の製造時の状態を示す斜視図である。包装袋１の袋本体１０は、まず積層体２（図２参照）を一辺１０ａで折曲し、辺１０ａに対向する側辺及び上辺の二辺をシール部１３により熱接着する。これにより、段差部１１ａを有して開口部５ａにより下端を開放された収納部１１が形成される。次に、段差部１１ａの側方のシール部１３上に挿通孔１４を打ち抜きにより形成する。これにより、下端を開放した収納部１１及び挿通孔１４を有した包装体５が形成される。
【００３８】
次に、開口部５ａを介して収納部１１内に内容物Ｗ（図１参照）を充填して開封部材２０が挿入される。この時、開封部材２０が斜めに挿入されても、尖鋭部２１が傾斜部１１ｂに摺動して尖鋭部２１を狭幅部１２に容易に案内することができる。また、開口部５ａを広げた際に、積層体２を折曲した辺１０ａにより形成される開口部５ａの一側端部が内側に曲率中心を有するように湾曲する。このため、開封部材２０を辺１０ａに沿って容易に狭幅部１２まで挿入することができる。
【００３９】
次に、内容物Ｗ及び開封部材２０が挿入された収納部１１の下端が熱接着される。これにより、袋本体１０内に内容物Ｗ及び開封部材２０を封入した包装袋１が得られる。
【００４０】
図４は袋本体１０内の開封部材２０の姿勢を説明する包装袋１の正面図である。同図に示すように、収納部１１の左側縁の下端に開封部材２０の下端が近接した状態で開封部材２０を傾倒させた際に、収納部１１の右側縁に開封部材２０の上端が近接して開封部材２０の傾倒が規制される。この時、収納部１１の右側縁と開封部材２０との成す角度θ１は４０゜以下になっている。
【００４１】
また、収納部１１の右側縁の下端に開封部材２０（一点鎖線２０’で示す）の下端が近接した状態で開封部材２０を傾倒させた際に、収納部１１の左側の側縁に設けた段差部１１ａに開封部材２０の上端が近接して開封部材２０の傾倒が規制される。これにより、開封部材２０が段差部１１ａよりも下方に脱落することを防止できる。この時、開封部材２０の上端に近接した位置の段差部１１ａ上の接線と開封部材２０との成す角度θ２は４０゜以下になっている。
【００４２】
角度θ１及び角度θ２がいずれも４０゜以下になるように収納部１１の横幅Ｄ１（図１参照）及び開封部材２０の長さが決められる。これにより、収納部１１内で傾倒する開封部材２０に下方から力が加えられた際に尖鋭部２１が収納部１１の側縁に摺動する。このため、尖鋭部２１によって収納部１１の側縁が突き破られることを防止できる。
【００４３】
図５〜図７は上記構成の包装袋１の開封動作を説明する斜視図を示している。包装袋１の開封時に、図５に示すように使用者の手指Ｆ（人差し指または親指）が挿通孔１４に挿入される。次に、図６に示すように、包装袋１が使用者の片方の手Ｐによって把持される。次に、包装袋１の下端を机上や使用者の身体の一部等に押圧させる。これにより、図７に示すように、段差部１１ａによって横幅の狭くなった収納部１１の上端を開封部材２０の尖鋭部２１が突き破り、包装袋１が開封される。この時、手指Ｆは挿通孔１４に挿通されるため収納部１１の上方に配置されず、手Ｐに対する尖鋭部２１による突き刺しを防止できる。
【００４４】
図８は開封後の包装袋１の正面図を示している。包装袋１に収納される液状の内容物Ｗは筒状の開封部材２０の上端からの吸引によって通路２２（図３参照）を介して取り出される。
【００４５】
本実施形態によると、収納部１１の上部周縁に設けた段差部１１ａの側方に挿通孔１４を設け、上端に尖鋭部２１を有する開封部材２０が収納部１１の下部から上部に延びて配される。これにより、挿通孔１４に手指Ｆを挿通して袋本体１０を把持し、袋本体１０の下端を押圧して片手で容易に包装袋１を開封することができる。この時、挿通孔１４に挿通した手指Ｆが収納部１１の上方に配置されず、手Ｐに対する尖鋭部２１による突き刺しを防止できる。従って、包装袋１の利便性を向上することができる。
【００４６】
また、収納部１１の内容物Ｗが液状であり、開封部材２０が内部に通路２２を形成する筒状部材から成るので、包装袋１に収納される液状の内容物Ｗを容易に取り出すことができる。
【００４７】
また、収納部１１の片方の側縁に段差部１１ａを設け、段差部１１ａに対向する側縁が積層体２を折曲した辺１０ａにより一直線状に形成される。これにより、開封部材２０を袋本体１０に挿入する際に、積層体２を折曲した辺１０ａで袋本体１０が内側に曲率中心を有するように湾曲する。このため、開封部材２０を辺１０ａに沿って容易に収納部１１の上端部の狭幅部１２まで挿入することができる。
【００４８】
また、段差部１１ａの下端部のコーナーが上下方向に対して傾斜する傾斜部１１ｂにより形成される。このため、下方から収納部１１内に開封部材２０が斜めに挿入されても、尖鋭部２１が傾斜部１１ｂに摺動する。従って、開封部材２０の上端の尖鋭部２１を収納部１１の狭幅部１２に容易に案内することができる。
【００４９】
また、収納部１１の一方の側縁の下端に開封部材２０の下端が近接した状態で開封部材２０を傾倒させた際に、収納部１１の他方の側縁に設けた段差部１１ａに開封部材２０の上端が近接して開封部材２０の傾倒が規制される。これにより、開封部材２０が段差部１１ａよりも下方に脱落することを防止できる。従って、開封部材２０により収納部１１の上端の狭幅部１２を確実に開封することができる。
【００５０】
また、段差部１１ａによって傾倒が規制された開封部材２０の上端が近接した位置の段差部１１ａの接線と開封部材２０との成す角度θ２を４０゜以下にしたので、収納部１１内で傾倒する開封部材２０の尖鋭部２１によって袋本体１０が突き破られることを防止できる。
【００５１】
また、収納部１１の下端から上端までの高さＨを７０ｍｍ〜１３０ｍｍにしたので、使用者が包装袋１を容易に把持して開封することができる。
【００５２】
＜第２実施形態＞
次に、図９は第２実施形態の包装袋１の正面図を示している。説明の便宜上、前述の図１〜図８に示す第１実施形態と同様の部分には同一の符号を付している。本実施形態の包装袋１は粉粒状の内容物Ｗを封入し、第１実施形態の開封部材２０（図１参照）と異なる開封部材３０を備えている。その他の部分は第１実施形態と同様である。
【００５３】
包装袋１は三方シール袋から成る袋本体１０に粉末や顆粒の医薬品や食品等の粉粒状の内容物Ｗが封入される。尚、内容物Ｗが粉粒状であるため、積層体２の外層３（図２参照）を前述の樹脂フィルムだけでなく、紙や化繊紙等により形成してもよい。
【００５４】
図１０、図１１は開封部材３０の正面図及び上面図を示している。袋本体１０内に配される開封部材３０は樹脂成形品の棒状部材により形成される。開封部材３０は上下方向に延びて径方向の四方に突出するリブ３３により水平断面が十字形に形成される。開封部材３０の外周面には上下端を連通させる通路３２が隣接するリブ３３間に形成される。開封部材３０の上端には山形に切断して尖鋭形状に形成された尖鋭部３１が設けられる。尖鋭部３１の先端は怪我防止のために微小な曲率半径の曲線状に形成される。
【００５５】
上記構成の包装袋１は前述の図５〜図７と同様に、開封部材３０により収納部１１の上端を突き破って開封される。図１２は開封後の包装袋１の正面図を示している。上端を開封された包装袋１は上下方向を逆に配置される。開封部分の開封部材３０の外周は積層体２（図２参照）により覆われ、通路３２は隣接するリブ３３と積層体２とに囲まれた空間により形成される。包装袋１に収納される粉粒状の内容物Ｗは自重によって通路３２を介して取り出される。
【００５６】
本実施形態によると、第１実施形態と同様の効果を得ることができる。また、収納部１１の内容物Ｗが粉粒状であり、開封部材３０が外周面に通路３２を設けた棒状部材から成るので、包装袋１に収納される粉粒状の内容物Ｗを容易に取り出すことができる。尚、棒状部材から成る開封部材３０の外周面に上下方向に延びる溝を凹設して通路３２を形成してもよい。
【００５７】
＜第３実施形態＞
次に、図１３は第３実施形態の包装袋１の正面図を示している。説明の便宜上、前述の図１〜図８に示す第１実施形態と同様の部分には同一の符号を付している。本実施形態の包装袋１の袋本体１０は上端で積層体２（図２参照）を折曲した三方シール袋により形成される。その他の部分は第１実施形態と同様である。
【００５８】
袋本体１０は上端の一辺１０ｂで積層体２（図２参照）を折曲して三辺の外周部に熱接着性樹脂を熱接着したシール部１３を形成する。収納部１１の上部周縁には片方の側縁のみに段差部１１ａが設けられ、段差部１１ａに対向する側縁はシール部１３により一直線状に形成される。
【００５９】
本実施形態によると、第１実施形態と同様の効果を得ることができる。また、袋本体１０が上端の一辺１０ｂで積層体２を折曲して形成されるので、収納部１１の上端にシール部１３が形成されない。これにより、開封部材２０によって第１実施形態よりも低い押圧力で収納部１１の上端を開封することができ、包装袋１の利便性をより向上することができる。
【００６０】
尚、本実施形態と同様の袋本体１０を第２実施形態の包装袋１に用いてもよい。
【００６１】
＜第４実施形態＞
次に、図１４は第４実施形態の包装袋１の正面図を示している。説明の便宜上、前述の図１〜図８に示す第１実施形態と同様の部分には同一の符号を付している。本実施形態の包装袋１は袋本体１０の収納部１１の両側縁に段差部１１ａが設けられる。その他の部分は第１実施形態と同様である。
【００６２】
袋本体１０は収納部１１の一側縁を形成する辺１０ａで積層体２（図２参照）を折曲した三方シール袋から成る。収納部１１の上部の両側縁には下部の横幅Ｄ３よりも上端部の横幅Ｄ２を狭くする段差部１１ａが設けられる。
【００６３】
図中、収納部１１の右側縁の下端に開封部材２０（一点鎖線２０’で示す）の下端が近接した状態で開封部材２０を傾倒させた際に、収納部１１の左側縁に設けた段差部１１ａに開封部材２０の上端が近接して開封部材２０の傾倒が規制される。また、図中、収納部１１の左側縁の下端に開封部材２０（一点鎖線２０”で示す）の下端が近接した状態で開封部材２０を傾倒させた際に、収納部１１の右側縁に設けた段差部１１ａに開封部材２０の上端が近接して開封部材２０の傾倒が規制される。
【００６４】
この時、開封部材２０の上端に近接した位置の段差部１１ａ上の接線と開封部材２０との成す角度θ２は４０゜以下になっている。これにより、収納部１１内で傾倒する開封部材２０の尖鋭部２１によって袋本体１０が突き破られることを防止できる。
【００６５】
本実施形態によると、第１実施形態と同様の効果を得ることができる。また、収納部１１の上部の両側縁に段差部１１ａが設けられるので、収納部１１の下部の横幅Ｄ３を大きくすることができる。このため、第１実施形態よりも内容物Ｗの内容量を増加させることができる。
【００６６】
また、収納部１１の一方の側縁の下端に開封部材２０の下端が近接した状態で開封部材２０を傾倒させた際に、収納部１１の他方の側縁に設けた段差部１１ａに開封部材２０の上端が近接して開封部材２０の傾倒が規制される。同様に、収納部１１の他方の側縁の下端に開封部材２０の下端が近接した状態で開封部材２０を傾倒させた際に、収納部１１の一方の側縁に設けた段差部１１ａに開封部材２０の上端が近接して開封部材２０の傾倒が規制される。これにより、開封部材２０が段差部１１ａよりも下方に脱落することを防止できる。従って、開封部材２０により収納部１１の上端の狭幅部１２を確実に開封することができる。
【００６７】
尚、本実施形態と同様の袋本体１０を第２実施形態の包装袋１に用いてもよい。
【００６８】
＜第５実施形態＞
次に、図１５は第５実施形態の包装袋１の正面図を示している。説明の便宜上、前述の図１４に示す第４実施形態と同様の部分には同一の符号を付している。本実施形態の包装袋１の袋本体１０は上端で積層体２（図２参照）を折曲した三方シール袋により形成される。その他の部分は第４実施形態と同様である。
【００６９】
袋本体１０は上端の一辺１０ｂで積層体２（図２参照）を折曲して三辺の外周部に熱接着性樹脂を熱接着したシール部１３を形成する。収納部１１の上部周縁には両方の側縁に段差部１１ａが設けられる。
【００７０】
本実施形態によると、第４実施形態と同様の効果を得ることができる。また、袋本体１０が上端の一辺１０ｂで積層体２を折曲して形成されるので、収納部１１の上端にシール部１３が形成されない。これにより、開封部材２０によって第４実施形態よりも低い押圧力で収納部１１の上端を開封することができ、包装袋１の利便性をより向上することができる。
【００７１】
尚、本実施形態と同様の袋本体１０を第２実施形態の包装袋１に用いてもよい。
【００７２】
また、第１〜第５実施形態において、２枚の積層体２の周囲をシール部１３により熱接着した袋本体１０を用いてもよい。また、二つ折りにした積層体２を２枚の積層体２の下部に挟んで熱接着した底ガセット形式の袋本体１０を用いてもよい。
【産業上の利用可能性】
【００７３】
本発明によると、液状や粉粒状の内容物を封入する包装袋に広く利用可能である。
【符号の説明】
【００７４】
１    包装袋
２    積層体
３    外層
４    内層
５    包装体
１０    袋本体
１１    収納部
１１ａ  段差部
１１ｂ  傾斜部
１１ｃ  縦延部
１２    狭幅部
１３    シール部
１４    挿通孔
２０、３０  開封部材
２１、３１  尖鋭部
２２、３２  通路
３３    リブ
Ｆ    手指
Ｐ    手
【図１】
0006596939.tif 000002
【図２】
0006596939.tif 000003
【図３】
0006596939.tif 000004
【図４】
0006596939.tif 000005
【図５】
0006596939.tif 000006
【図６】
0006596939.tif 000007
【図７】
0006596939.tif 000008
【図８】
0006596939.tif 000009
【図９】
0006596939.tif 000010
【図１０】
0006596939.tif 000011
【図１１】
0006596939.tif 000012
【図１２】
0006596939.tif 000013
【図１３】
0006596939.tif 000014
【図１４】
0006596939.tif 000015
【図１５】
0006596939.tif 000016